(57)【要約】【課題】装置の前でプレゼンテーション等を行なう人物の目を適切に保護するとともに、投影する画像への操作を最小限に抑える。【解決手段】画像を投影する投影系11〜16と、画像の投影領域を含む範囲を撮像する撮像系17〜21と、撮像系で得た撮影画像中に投影画像にはない人物の顔があるか否かを撮影画像処理部20で判断させ、顔があると判断された場合にはさらにその顔の向きや表情を判断させて、判断した向きや表情に応じて投影系で投影する画像の輝度を低減させるＣＰＵ22とを備える。【選択図】図２
2018025809.tif 000002
【特許請求の範囲】
【請求項１】
画像を投影する投影手段と、
上記投影手段による画像の投影領域を含む範囲を撮像する撮像手段と、
上記撮像手段で得た撮影画像中に上記投影手段による投影画像にはない人物の顔があるか否かを判断する顔検出手段と、
上記顔検出手段で顔があると判断された場合に、その顔自体の状況を判断する状況判断手段と、
上記状況判断手段で判断された顔自体の状況に応じて、上記投影手段で投影する画像の輝度を低減させる投影制御手段とを具備し、
上記投影制御手段は、上記顔検出手段で顔があると判断された場合に、上記投影手段で投影する画像の輝度を予備的に低減させた後、上記状況判断手段による顔自体の状況を判断させ、
上記投影制御手段は、上記状況判断手段で低減させる必要がないと判断された場合に、上記投影手段で投影する画像の輝度の予備的な低減を解除する
ことを特徴とする投影装置。
【請求項２】
上記投影制御手段は、上記状況判断手段で低減させる必要があると判断された場合に、上記投影手段で投影する画像の輝度を維持又は更に低減させることを特徴とする請求項１記載の投影装置。
【請求項３】
上記状況判断手段は、上記顔自体の状況として顔の向きを判断し、顔が上記投影手段の方向を向いていないと判断された場合、低減させる必要がないと判断することを特徴とする請求項１又は２記載の投影装置。
【請求項４】
上記状況判断手段は、上記顔自体の状況として顔の表情を判断し、顔の表情から眩しそうではないと判断された場合に、低減させる必要がないと判断することを特徴とする請求項１又は２記載の投影装置。
【請求項５】
画像を投影する投影手段と、
上記投影手段による画像の投影領域を含む範囲を撮像する撮像手段と、
上記撮像手段で得た撮影画像から上記投影領域内に障害物があるか否かを判断する障害物判断手段と、
上記障害物判断手段で障害物があると判断された場合に、撮像画像中に投影画像にはない人物の顔があるか否かを判断する顔検出手段と、
上記顔検出手段で判断された顔の有無に応じて、上記投影手段で投影する画像の輝度を低減させる投影制御手段とを具備し、
上記投影制御手段は、上記障害物判断手段で障害物があると判断された場合に、上記投影手段で投影する画像の輝度を予備的に低減させた後、上記顔検出手段による顔の有無を判断させ、
上記投影制御手段は、上記顔検出手段で顔がないと判断された場合に、上記投影手段で投影する画像の輝度の予備的な低減を解除する
ことを特徴とする投影装置。
【請求項６】
上記投影制御手段は、上記顔検出手段で顔があると判断された場合に、上記投影手段で投影する画像の輝度を維持又は更に低減させることを特徴とする請求項５記載の投影装置。
【請求項７】
上記投影制御手段は、上記投影手段で投影する画像の輝度の予備的な低減の度合いを予め設定される内容に基づいて可変することを特徴とする請求項１乃至６いずれか記載の投影装置。
【請求項８】
上記投影制御手段は、上記顔検出手段で顔があると判断された場合に、上記投影手段で投影する画像の顔領域に該当する範囲の輝度を低減させることを特徴とする請求項１乃至７いずれか記載の投影装置。
【請求項９】
上記投影制御手段は、上記投影手段で投影する画像の輝度を階調の調整により画像の輝度を低減させることを特徴とする請求項１乃至８いずれか記載の投影装置。
【請求項１０】
上記投影制御手段は、上記投影手段が備える光源素子の発光輝度の調整により画像の輝度を低減させることを特徴とする請求項１乃至９いずれか記載の投影装置。
【請求項１１】
上記投影制御手段は、上記撮像手段による画像撮影タイミングと合致する極小時間に上記投影手段により全面一様な画像を投影させることを特徴とする請求項１乃至１０いずれか記載の投影装置。
【請求項１２】
画像を投影する投影部と、上記投影部による画像の投影領域を含む範囲を撮像する撮像部とを備えた装置での投影方法であって、
上記撮像部で得た撮影画像中に上記投影部による投影画像にはない人物の顔があるか否かを判断する顔検出工程と、
上記顔検出工程で顔があると判断された場合に、その顔自体の状況を判断する状況判断工程と、
上記状況判断工程で判断された状況に応じて、上記投影部で投影する画像の輝度を低減させる投影制御工程とを有し、
上記投影制御工程は、上記顔検出工程で顔があると判断された場合に、上記投影部で投影する画像の輝度を予備的に低減させた後、上記状況判断工程による顔自体の状況を判断させ、
上記投影制御工程は、上記状況判断工程で低減させる必要がないと判断された場合に、上記投影部で投影する画像の輝度の予備的な低減を解除する
ことを特徴とする投影方法。
【請求項１３】
画像を投影する投影部と、上記投影部による画像の投影領域を含む範囲を撮像する撮像部とを備えた装置での投影方法であって、
上記撮像部で得た撮影画像から上記投影領域内に障害物があるか否かを判断する障害物判断工程と、
上記障害物判断工程で障害物があると判断された場合に、撮像画像中に投影画像にはない人物の顔があるか否かを判断する顔検出工程と、
上記顔検出工程で判断された顔の有無に応じて、上記投影部で投影する画像の輝度を低減させる投影制御工程とを有し、
上記投影制御工程は、上記障害物判断工程で障害物があると判断された場合に、上記投影部で投影する画像の輝度を予備的に低減させた後、上記顔検出工程による顔の有無を判断させ、
上記投影制御工程は、上記顔検出工程で顔がないと判断された場合に、上記投影部で投影する画像の輝度の予備的な低減を解除する
ことを特徴とする投影方法。
【請求項１４】
画像を投影する投影部と、上記投影部による画像の投影領域を含む範囲を撮像する撮像部とを備えた装置が内蔵したコンピュータが実行するプログラムであって、上記コンピュータを、
上記撮像部で得た撮影画像中に上記投影部による投影画像にはない人物の顔があるか否かを判断する顔検出手段、
上記顔検出手段で顔があると判断された場合に、その顔自体の状況を判断する状況判断手段、及び
上記状況判断手段で判断された状況に応じて、上記投影部で投影する画像の輝度を低減させる投影制御手段として機能させ、
上記投影制御手段は、上記顔検出手段で顔があると判断された場合に、上記投影部で投影する画像の輝度を予備的に低減させた後、上記状況判断手段による顔自体の状況を判断させ、
上記投影制御手段は、上記状況判断手段で低減させる必要がないと判断された場合に、上記投影部で投影する画像の輝度の予備的な低減を解除する
ことを特徴とするプログラム。
【請求項１５】
画像を投影する投影部と、上記投影部による画像の投影領域を含む範囲を撮像する撮像部とを備えた装置が内蔵したコンピュータが実行するプログラムであって、上記コンピュータを、
上記撮像部で得た撮影画像から上記投影領域内に障害物があるか否かを判断する障害物判断手段、
上記障害物判断手段で障害物があると判断された場合に、撮像画像中に投影画像にはない人物の顔があるか否かを判断する顔検出手段、
上記顔検出手段で判断された顔の有無に応じて、上記投影部で投影する画像の輝度を低減させる投影制御手段として機能させ、
上記投影制御手段は、上記障害物判断手段で障害物があると判断された場合に、上記投影部で投影する画像の輝度を予備的に低減させた後、上記顔検出手段による顔の有無を判断させ、
上記投影制御手段は、上記顔検出手段で顔がないと判断された場合に、上記投影部で投影する画像の輝度の予備的な低減を解除する
ことを特徴とするプログラム。
【発明の詳細な説明】
【技術分野】
【０００１】
本発明は、特にプレゼンテーションに使用するプロジェクタ等に好適な投影装置、投影方法及びプログラムに関する。
【背景技術】
【０００２】
従来、ディスプレイ領域中の人物が位置する領域の映像光の明るさを制御して、ディスプレイ領域に位置する人物の目に対する映像光の入射量を低減する、防眩機能を有する投写型表示装置に関する技術が提案されている。（例えば、特許文献１）
【先行技術文献】
【特許文献】
【０００３】
【特許文献１】特開２０００−３０５４８１号公報
【発明の概要】
【発明が解決しようとする課題】
【０００４】
上記特許文献に記載された技術には、投影領域内に存在する人物の位置に応じて、プレゼンテーションの一部を縦方向にマスクするような防眩処理を行なう技術が記載されており、直接人物とは関係ない部分を含めて投影画像が広い範囲で欠落するものとなっている。
【０００５】
また、必要以上に防眩機能が動作してしまい、プレゼンテーションに支障を与えてしまう場合もあった。
【０００６】
本発明は上記のような実情に鑑みてなされたもので、その目的とするところは、装置の前でプレゼンテーション等を行なう人物の目を適切に保護するとともに、投影する画像になるべく変化を与えないようにすることにある。
【課題を解決するための手段】
【０００７】
本発明の一態様は、投影装置であって、画像を投影する投影手段と、上記投影手段による画像の投影領域を含む範囲を撮像する撮像手段と、上記撮像手段で得た撮影画像中に上記投影手段による投影画像にはない人物の顔があるか否かを判断する顔検出手段と、上記顔検出手段で顔があると判断された場合に、その顔自体の状況を判断する状況判断手段と、上記状況判断手段で判断された顔自体の状況に応じて、上記投影手段で投影する画像の輝度を低減させる投影制御手段とを具備し、上記投影制御手段は、上記顔検出手段で顔があると判断された場合に、上記投影手段で投影する画像の輝度を予備的に低減させた後、上記状況判断手段による顔自体の状況を判断させ、上記投影制御手段は、上記状況判断手段で低減させる必要がないと判断された場合に、上記投影手段で投影する画像の輝度の予備的な低減を解除することを特徴とする。
【０００８】
また本発明の他の一態様は、投影装置であって、画像を投影する投影手段と、上記投影手段による画像の投影領域を含む範囲を撮像する撮像手段と、上記撮像手段で得た撮影画像から上記投影領域内に障害物があるか否かを判断する障害物判断手段と、上記障害物判断手段で障害物があると判断された場合に、撮像画像中に投影画像にはない人物の顔があるか否かを判断する顔検出手段と、上記顔検出手段で判断された顔の有無に応じて、上記投影手段で投影する画像の輝度を低減させる投影制御手段とを具備し、上記投影制御手段は、上記障害物判断手段で障害物があると判断された場合に、上記投影手段で投影する画像の輝度を予備的に低減させた後、上記顔検出手段による顔の有無を判断させ、上記投影制御手段は、上記顔検出手段で顔がないと判断された場合に、上記投影手段で投影する画像の輝度の予備的な低減を解除することを特徴とする。
【発明の効果】
【０００９】
本発明によれば、装置の前でプレゼンテーション等を行なう人物の目を適切に保護するとともに、投影する画像への操作を最小限に抑えることが可能となる。
【図面の簡単な説明】
【００１０】
【図１】本発明の一実施形態に係る投影装置の使用環境を例示する図。
【図２】同実施形態に係る投影装置内の機能回路の構成を示すブロック図。
【図３】同実施形態に係る投影動作時の処理内容を示すフローチャート。
【図４】同実施形態に係る図３の輝度処理低下処理ｉ（ｉ＝１〜４）の詳細な内容を示すサブルーチンのフローチャート。
【発明を実施するための形態】
【００１１】
以下、本発明をＤＬＰ（Ｄｉｇｉｔａｌ  Ｌｉｇｈｔ  Ｐｒｏｃｅｓｓｉｎｇ）（登録商標）方式の投影装置に適用した場合の一実施形態について図面を参照して説明する。
【００１２】
図１は、本発明に係る投影装置１０の使用環境を例示する図である。同図では、投影装置１０により画像の投影が可能なスクリーンＳＣ内に、投影装置１０を用いたプレゼンテーションを行なう人物ＰＳが存在している状態を示す。
【００１３】
図２は、本実施形態に係る投影装置１０の主として電子回路の機能構成を説明する図である。同図中、入力処理部ＩＰに入力された画像データが、この入力処理部ＩＰで必要に応じてデジタル化された後に、システムバスＳＢを介して投影画像駆動部１１に送られる。
【００１４】
この投影画像駆動部１１は、送られてきた画像データに応じて、所定のフォーマットに従ったフレームレート、例えば１２０［フレーム／秒］と色成分の分割数、及び表示階調数を乗算した、より高速な時分割駆動により、表示素子であるマイクロミラー素子１２を表示駆動する。
【００１５】
このマイクロミラー素子１２は、アレイ状に配列された複数、例えばＷＸＧＡ（横１２８０画素×縦７６８画素）分の微小ミラーの各傾斜角度を個々に高速でオン／オフ動作して表示動作することで、その反射光により光像を形成する。
【００１６】
一方で、光源部１３から時分割でＲ，Ｇ，Ｂの原色光が循環的に出射される。光源部１３は、半導体発光素子であるＬＥＤを有し、Ｒ，Ｇ，Ｂの原色光を時分割で繰返し出射する。光源部１３が有するＬＥＤは、広義でのＬＥＤとして、ＬＤ（半導体レーザ）や有機ＥＬ素子を含むものとしても良い。
【００１７】
また、ＬＥＤから出射された光を蛍光体に照射することで励起される、元の光とは波長が異なる原色光を用いるものとしても良い。この光源部１３からの原色光が、ミラー１４で全反射して上記マイクロミラー素子１２に照射される。
【００１８】
そして、マイクロミラー素子１２での反射光で光像が形成され、形成された光像が投影レンズ部１５を介して外部に投射して表示される。
【００１９】
上記投影レンズ部１５は、内部のレンズ光学系中に、フォーカス位置を移動するためのフォーカスレンズ及びズーム（投影）画角を可変するためのズームレンズを含み、それら各レンズはレンズモータ（Ｍ）１６により図示しないギヤ機構を介して光軸方向に沿った位置が選択的に駆動される。
【００２０】
また、上記投影レンズ部１５と隣接するようにして撮影レンズ部１７を配設する。この撮影レンズ部１７は、フォーカス位置を移動するためのフォーカスレンズを含み、上記投影レンズ部１５の最広角での投影画角をカバーするような撮影画角を有する。撮影レンズ部１７に入光する外部の光像は、固体撮像素子であるＣＭＯＳイメージセンサ１８上に結像される。
【００２１】
ＣＭＯＳイメージセンサ１８での結像により得られる画像信号は、Ａ／Ｄ変換器１９でデジタル化された後、撮影画像処理部２０に送られる。
【００２２】
この撮影画像処理部２０は、上記ＣＭＯＳイメージセンサ１８を走査駆動して撮影動作を実行させ、撮影により得た画像データに対する輪郭抽出等の画像処理を実施することで、後述するように画像中から上記人物ＰＳを含む顔検出処理を実行し、さらに検出した顔に対して、顔が向いている方向、顔の表情、具体的には目を細めているか否かなどを判断する。
【００２３】
加えて撮影画像処理部２０は、上記撮影レンズ部１７のフォーカスレンズ位置を移動させるためのレンズモータ（Ｍ）２１を駆動する。撮影画像処理部２０は、例えばコントラスト方式の自動合焦機能によりレンズモータ２１を駆動して撮影レンズ部１７のフォーカスレンズを移動させ、最もコントラストの高い画像の合焦距離を得ることで、投影対象までの距離、人物ＰＳの位置までの距離を取得できる。
【００２４】
上記各回路の動作すべてをＣＰＵ２２が制御する。このＣＰＵ２２は、メインメモリ２３及びプログラムメモリ２４と直接接続される。メインメモリ２３は、例えばＳＲＡＭで構成され、ＣＰＵ２２のワークメモリとして機能する。プログラムメモリ２４は、電気的書換可能な不揮発性メモリ、例えばフラッシュＲＯＭで構成され、ＣＰＵ２２が実行する動作プログラムや各種定型データ等を記憶する。
【００２５】
ＣＰＵ２２は、上記プログラムメモリ２４に記憶されている動作プログラムや定型データ等を読出し、メインメモリ２３に展開して記憶させた上で当該プログラムを実行することにより、この投影装置１０を統括して制御する。
【００２６】
上記ＣＰＵ２２は、操作部２５からの操作信号に応じて各種投影動作を実行する。この操作部２５は、投影装置１０の本体に備えるいくつかの操作キーのキー操作信号を受付け、受付けたキー操作信号に応じた信号を上記ＣＰＵ２２へ送出する。
【００２７】
操作部２５が備える操作キーとしては、例えば投影装置１０の電源のオン／オフを操作する電源キー、ズームキー＋／−キー、フォーカス＋／−キー、メニューキー、十字キー、決定キー等を含む。
【００２８】
上記ＣＰＵ２２はさらに、上記システムバスＳＢを介して音声処理部２６と接続される。  
音声処理部２６は、ＰＣＭ音源等の音源回路を備え、投影動作時に与えられる音声信号をアナログ化し、スピーカ部２８を駆動して放音させ、あるいは必要によりビープ音等を発生させる。
【００２９】
次に上記実施形態の動作について説明する。  
なお以下に示す動作は、上述した如くＣＰＵ２２がプログラムメモリ２４から読出した動作プログラムや定型データ等をメインメモリ２３に展開した上で実行するものである。プログラムメモリ２４に記憶される動作プログラム等は、この投影装置１０の工場出荷時にプログラムメモリ２４に記憶されていたもののみならず、ユーザがこの投影装置１０を購入後にバージョンアップ用のプログラム等をインストールした内容を含む。
【００３０】
図３は、上記図１に示したように投影装置１０でプレゼンテーションのための投影動作を行なう場合に、ＣＰＵ２２が実行する処理の内容を示すフローチャートである。
【００３１】
その当初にＣＰＵ２２は、投影動作の開始を指示するイベントがあるか否か、具体的には操作部２５の電源キーによる電源のオンを指示する操作と、入力処理部ＩＰへの画像信号の入力がともにあるか否かを繰返し判断することで、投影の開示が指示されるのを待機する（ステップＳ１０１）。
【００３２】
投影のイベントを開始する指示がなされた場合、ＣＰＵ２２は開始を判断して、入力処理部ＩＰに入力される画像信号に基づいて投影画像駆動部１１によりマイクロミラー素子１２を駆動させるとともに、光源部１３により順次原色光で発生させる投影動作を開始させる（ステップＳ１０２）。
【００３３】
これとともにＣＰＵ２２は、撮影画像処理部２０により画像投影方向の上記スクリーンＳＣを撮影する動作を開始させる（ステップＳ１０３）。
【００３４】
その後ＣＰＵ２２は、撮影画像処理部２０から得られる撮影画像と投影画像駆動部１１で投影している画像とのパターンマッチング処理を含む対応解析処理を開始する（ステップＳ１０４）。
【００３５】
ここでＣＰＵ２２は、投影画像のパターンに対して、撮影画像中の対応する画像範囲内で予め設定したしきい値以上の低い相似度（相関度）となり、明らかに異なる画像パターンが検出できるか否かにより、スクリーンＳＣの前に何らかの障害物が存在するか否かを判断する（ステップＳ１０５）。
【００３６】
ここで投影画像のパターンと撮影画像中の対応するパターンとが予め設定したしきい値以上の高い相似度となり、異なる画像パターンは検出できないと判断した場合、ＣＰＵ２２は人物ＰＳを含めて障害物はないものと判断し、次に投影動作の終了を指示するイベントがあるか否か、具体的には操作部２５の電源キーによる電源のオフを指示する操作がなされたか否かを判断する（ステップＳ１１９）。
【００３７】
ここで投影動作の終了を指示するイベントがないことを確認すると、ＣＰＵ２２は再度上記ステップＳ１０５からの処理に戻り、スクリーンＳＣを撮像しながらの投影動作を続行する。
【００３８】
また上記ステップＳ１０５で明らかに異なる画像パターンが検出でき、スクリーンＳＣの前に何らかの障害物が存在すると判断した場合、ＣＰＵ２２はまず投影レンズ部１５より出射される投影画像の輝度を低下させる第１段階の輝度低下処理を実行する（ステップＳ１０６）。
【００３９】
図４は、この第１段階の輝度低下処理を含めて複数、例えば全４段階の輝度低下処理の内容を示すサブルーチンのフローチャートである。
【００４０】
なお、投影レンズ部１５から出射する投影画像の輝度を低下させるにあたっては、プレゼンテーションを行なう人物の顔領域部分を限定的にマスクするか、あるいは画像全体を一様に減光させるかを予め選択して設定しておくことが可能であるものとする。
【００４１】
また、輝度低下の段階制御に関して、第１段階から第４段階まで同様に最も輝度が低い値を設定する、安全性を重視した制御モードを採るか、あるいは第１段階から第４段階まで徐々に輝度を低下させる度合いが増加するように設定する、投影画像を鑑賞するユーザに違和感を生じさせない制御モードを採るか、を予め選択して設定しておくことが可能であるものとする。
【００４２】
図４において、サブルーチンの処理当初には、上記プレゼンテーションを行なう人物の顔領域部分を限定的にマスクする設定がなされているか否かを判断する（ステップＳ３０１）。
【００４３】
ここで当該設定がなされていないと判断した場合、画像全体を一様に減光させる設定がなされているものとして、次にＣＰＵ２２はマイクロミラー素子１２で形成する画像の階調による減光設定がなされているか否かを判断する（ステップＳ３０５）。
【００４４】
これは、光源部１３で使用する光源素子の仕様にもよって異なるものであり、光源素子での発光輝度自体をある程度調整できるような素子であれば、光源素子での発光輝度自体を低下させるように設定した上で（ステップＳ３０７）、この図４のサブルーチンを終了して上記図３のメインルーチンに戻る。
【００４５】
こうして光源素子自体の発光輝度を低下させることで、光源素子で消費する電力を削減し、省電力化が可能となる。
【００４６】
また上記ステップＳ３０５で、マイクロミラー素子１２で形成する画像の階調による減光設定がなされていると判断した場合、ＣＰＵ２２はマイクロミラー素子１２で表示する画素毎の階調を一様な比率、例えば本来の階調値からｘパーセントダウンさせるなどの設定を行なった上で（ステップＳ３０６）、この図４のサブルーチンを終了して上記図３のメインルーチンに戻る。
【００４７】
こうしてマイクロミラー素子１２で表示させる画素毎の階調値を低下させることで、輝度調整が困難な光源素子、例えば高圧水銀灯等の放電ランプを光源素子に用いるプロジェクタであっても、輝度低下処理を実現できる。
【００４８】
なお上記ステップＳ３０５での判断処理は、上述した如く光源素子に基づく仕様の要素が大きいが、双方を実行できる光源素子であればこれら２つの輝度低下処理を併用して適宜組み合わせる設定としても良い。
【００４９】
また上記ステップＳ３０１で顔領域部分を限定的にマスクする設定がなされていると判断した場合に、ＣＰＵ２２は上記撮影画像処理部２０により撮影画像中の顔画像の領域の位置を検出させる（ステップＳ３０２）。
【００５０】
そして検出した顔画像の領域に位置により減光するマスク位置を決定する（ステップＳ３０３）。決定したマスク位置にしたがい、当該マスク位置の範囲内のみマイクロミラー素子１２で表示する画像の階調値を低下させるような設定処理を行なった上で（ステップＳ３０４）、この図４のサブルーチンを終了して上記図３のメインルーチンに戻る。
【００５１】
なお、この第１段階の輝度低下処理に限っては、後述する顔検出処理を実行する前であるので、上記ステップＳ３０２〜Ｓ３０４の処理にあたっては、顔領域ではなく、障害物の領域の位置を検出し、検出した位置に応じたマスク位置を決定した後、当該マスク位置の範囲内のみ階調値を低下させるものとする。
【００５２】
図３のメインルーチンでは、上記第１段階の輝度低下処理を実行した後、ＣＰＵ２２が撮影画像処理部２０により撮影画像中の障害物の画像に対して顔検出処理を実行させる（ステップＳ１０７）。
【００５３】
この検出結果に対してＣＰＵ２２は、顔画像を検出することができたか否かにより、障害物が顔であるか否かを判断する（ステップＳ１０８）。  
ここで顔画像が検出できなかった場合、人物ＰＳが投影レンズ部１５に背を向けてスクリーンＳＣの側（方向）を向いている場合も含めて、障害物が顔ではないか、または投影レンズ部１５側を向いていないために防眩処理を行なう必要がないものとして、上記ステップＳ１０６で設定した第１段階での輝度低下処理を解除した上で（ステップＳ１０９）、上記ステップＳ１１９からの処理に進む。
【００５４】
また上記ステップＳ１０８で顔画像を検出することができ、障害物が顔画像であると判断した場合、上記人物ＰＳの顔が概ね投影レンズ部１５の方向を向いているものとして、第２段階の輝度低下処理を実行する（ステップＳ１１０）。  
この第２段階の輝度低下処理にあたっては、上記図４のサブルーチンの説明で示した如く、安全性を重視した制御モードを採るか、投影画像を鑑賞するユーザに違和感を生じさせない制御モードを採るかに応じて、第２段階での輝度低下処理を実行する。
【００５５】
その後、あらためて顔画像を検出した領域に関して顔を構成する個々のパーツ、すなわち全体の輪郭、左右の眉、左右の目、鼻、及び口の配置により、顔の向きを判断する処理を実行する（ステップＳ１１１）。
【００５６】
そして、この顔の向きが投影レンズ部１５の正面に向かい、左右が略均等となっているか否かを判断する（ステップＳ１１２）。
【００５７】
ここで顔の向きが投影レンズ部１５の正面に向かっておらず、左右いずれかに偏っていると判断した場合、ＣＰＵ２２は上記人物ＰＳが投影レンズ部１５からの投影光を直視しておらず、防眩処理は必要ないものと判断して、上記第１及び第２の輝度低下処理を解除した上で（ステップＳ１１３）、上記ステップＳ１１９からの処理に進む。
【００５８】
なお、上記顔の向きを判断する処理は、顔検出処理の方法（アルゴリズム）にもよるが、より大まかに、顔の向きが横を向いている横顔でないかといった処理を含むことは勿論である。
【００５９】
また上記ステップＳ１１２で上記人物ＰＳの顔の向きが投影レンズ部１５に向いていると判断した場合に、ＣＰＵ２２は第３段階の輝度低下処理を実行する（ステップＳ１１４）。  
この第３段階の輝度低下処理にあたっても、上記図４のサブルーチンの説明で示した如く、安全性を重視した制御モードを採るか、投影画像を鑑賞するユーザに違和感を生じさせない制御モードを採るかに応じて、第３段階での輝度低下処理を実行する。
【００６０】
その後、あらためて顔の向きが投影レンズ１５に向いていると判断した顔画像中の表情、具体的には例えば、両目の画像がそれぞれ予め設定した顔に対する上下幅の比率を算出する処理を実行した上で（ステップＳ１１５）、その結果に応じて、目を細めているか否か、すなわち人物ＰＳが実際に眩しそうにしているか否かを判断する（ステップＳ１１６）。
【００６１】
ここで人物ＰＳが目を細めておらず、眩しそうにはしていないと判断した場合には、防眩処理は必要ないものと判断して、上記第１乃至第３の輝度低下処理を解除した上で（ステップＳ１１７）、上記ステップＳ１１９からの処理に進む。
【００６２】
また上記ステップＳ１１６で人物ＰＳが目を細めており、眩しそうにしていると判断した場合に、ＣＰＵ２２は本実施形態での最後の輝度低下処理である第４段階の輝度低下処理を実行する（ステップＳ１１８）。  
この第４段階の輝度低下処理にあたっても、上記図４のサブルーチンの説明で示した如く、安全性を重視した制御モードを採るか、投影画像を鑑賞するユーザに違和感を生じさせない制御モードを採るかに応じて、第４段階での輝度低下処理を実行する。
【００６３】
その後、上記ステップＳ１１９に進み、投影動作の終了を指示するイベントがないことを確認すると、再び上記ステップＳ１０５からの処理に戻る。
【００６４】
こうして適宜ステップＳ１０５〜Ｓ１１９の処理を繰返し実行する過程で、投影画像と撮影画像とに基づいた顔検出処理を含めて、  
第１段階：投影範囲内に少なくとも障害物が存在する場合  
第２段階：障害物が人物の顔であり、投影レンズ部１５に近い方向を向いている場合  
第３段階：投影レンズ部１５の正面を向いている場合  
第４段階：表情から眩しそうにしていると判断できる場合  
の計４段階に分け、段階的に輝度低下処理を実行することで、人物ＰＳに対する適切な防眩処理を実行して保護するするとともに、投影する画像の輝度を低下させるという操作により投影画像を鑑賞するユーザに与える違和感を最小限に抑えることが可能となる。
【００６５】
上述したように、防眩機能として、安全性を重視する設定では、例えば、図４のステップＳ３０４、Ｓ３０６、Ｓ３０７における画像の輝度低下の程度を第１段階〜第４段階で、いずれも最大限の低下程度とすればよい。
【００６６】
また、投影画像を鑑賞するユーザに違和感を生じさせないことを重視する設定では、例えば、第１段階〜第４段階で徐々に輝度を低下させる度合いが増加するように設定するとよい。
【００６７】
なお上記ステップＳ１０５〜Ｓ１１９の処理中、特に上記ステップＳ１０８で障害物が顔であると検出（認識）できた後の処理で、撮影画像処理部２０が実行するＣＭＯＳイメージセンサ１８を用いての撮影動作に際して、ＣＰＵ２２は投影画像が劣化させるほどではなく、投影画像を鑑賞している人たちには視認できない程度の極小時間、例えば１／６０［秒］だけ画像全体が一様化画像、例えば全面白色となるような画像を投影させる投影動作を実行させ、そのタイミングに同期して撮影を実行させるものとしてもよい。  
これにより、撮影される人物ＰＳの顔画像に投影画像の影響による不規則な画像パターン等が映り込むことがなく、顔検出識の精度をより向上させることができる。
【００６８】
また上記ステップＳ１１９で操作部２５からの操作信号により投影動作を終了するためのイベントが発生したと判断した場合、ＣＰＵ２２はその時点で撮影画像処理部２０による撮影動作を終了させる（ステップＳ１２０）。同時にＣＰＵ２２は、投影画像駆動部１１、光源部１３を用いた投影動作も終了させ（ステップＳ１２１）、以上で次の投影に備えるべく、一旦この図３の処理を終了する。
【００６９】
以上詳述した如く本実施形態によれば、投影装置１０の前でプレゼンテーション等を行なう人物ＰＳに投影光が照射されて眩しい思いをさせることなく、且つ投影する画像への操作を最小限に抑え、投影画像を鑑賞するユーザになるべく違和感を生じさせないようにすることが可能となる。
【００７０】
また上記実施形態では、人物ＰＳの顔の向きだけではなく、その表情から眩しそうにしていると判断した場合に投影画像の輝度を低下させるものとしたので、防眩を行なうべき状態を詳細に解析して、適切な防眩処理を実行でき、無用に防眩処理が機能してしまうことを防止できる。
【００７１】
さらに上記実施形態では、投影画像の領域内に少なくとも何らかの障害物があると判断した場合に、投影する画像の輝度を予備的に低減させた上で、その障害物が人物の顔であるかどうかを判断するものとしたので、顔の判断を行なうより前に安全のための適切な防眩処理を実行できる。
【００７２】
加えて、障害物が顔ではないと判断した時点で、速やかに投影画像の輝度の低減を解除して、本来の輝度での投影動作に復帰させるようにしたので、投影画像を鑑賞するユーザになるべく違和感を生じさせないようにすることができる。
【００７３】
また上記実施形態では、投影画像の領域内に人物の顔が存在する場合、投影する画像の輝度を予備的に低減させた上で、その顔の向きを判断するものとしたので、向きの判断を行なうより前に安全のための適切な防眩処理を実行できる。
【００７４】
加えて、顔の向きが正面ではないと判断した時点で、速やかに投影画像の輝度の低減を解除して、本来の輝度での投影動作に復帰させるようにしたので、投影画像を鑑賞するユーザになるべく違和感を生じさせないようにすることができる。
【００７５】
さらに上記実施形態では、投影画像の領域内の人物の顔が画像投影と正対するような向きであった場合に、投影する画像の輝度を予備的に低減させた上で、その顔の表情から実際に眩しそうにしているかどうかを判断するものとしたので、表情の判断を行なうより前に安全のための適切な防眩処理を実行できる。
【００７６】
加えて、特に眩しそうにはしていないと判断した時点で、速やかに投影画像の輝度の低減を解除して、本来の輝度での投影動作に復帰させるようにしたので、投影画像を鑑賞するユーザになるべく違和感を生じさせないようにすることができる。
【００７７】
また上記実施形態では、投影画像の輝度を予備的に低減させる度合いをユーザ自身が予め設定した内容に基づいて可変できるものとしたので、ユーザの判断により安全性を重視するか、不自然な減光とならないように投影画像の質を重視するかを任意に選択できる。
【００７８】
さらに上記実施形態では、投影画像の輝度を低減させる位置を人物の顔領域に該当する範囲に限定して設定できるようにしたので、投影画像の質を必要以上に損なわせることなく、きわめて自然で適切な防眩のための減光制御が実現できる。
【００７９】
なお実際に投影画像の輝度を低減させるにあたって、投影する画像の輝度を階調の調整により低減させることを可能としたので、例えば高圧水銀灯などの放電管に代表される、発光素子自体によるきめ細かな減光調整が困難である場合にも、容易に防眩のための制御が実現できる。
【００８０】
また上記実施形態では、投影する画像の輝度を発光素子での発光輝度によって低減させることも可能としたので、ＬＥＤに代表される、半導体発光素子自体によるきめ細かな減光調整が可能である場合に、無駄な電力消費を抑えながら容易に防眩のための制御が実現できる。
【００８１】
なお上記実施形態では詳述しなかったが、投影画像の領域内での障害物（顔）の位置は投影動作中、随時撮影画像により検出するものとしているので、障害物（顔）の位置が移動したとしても追従して検出し続けることが可能であり、例えばプレゼンテーション中の人物ＰＳが説明のために位置を移動した場合などであっても確実に防眩のための減光制御を継続できる。
【００８２】
また上記実施形態では説明しなかったが、例えば人物の顔の向きが、投影画像と正対する向きとなってから、顔を背けるまでの時間を計測し、その時間が一定値、例えば０．５［秒］以内であるか否かにより、当該人物が投影画像を眩しそうにしているかどうかを判断の基準として、適切な防眩処理による減光制御を実行させるものとしてもよい。
【００８３】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８４】
以下に、本願出願の当初の特許請求の範囲に記載された発明を付記する。  
請求項１記載の発明は、画像を投影する投影手段と、上記投影手段による画像の投影領域を含む範囲を撮像する撮像手段と、上記撮像手段で得た撮影画像中に上記投影手段による投影画像にはない人物の顔があるか否かを判断する顔検出手段と、上記顔検出手段で顔があると判断された場合に、その顔の向きを判断する向き判断手段と、上記向き判断手段で判断された向きに応じて、上記投影手段で投影する画像の輝度を低減させる投影制御手段とを具備したことを特徴とする。
【００８５】
請求項２記載の発明は、上記請求項１記載の発明において、上記投影制御手段は、上記顔検出手段で顔があると判断された場合に、上記投影手段で投影する画像の輝度を予備的に低減させた後、上記向き判断手段による顔の向きを判断させることを特徴とする。
【００８６】
請求項３記載の発明は、上記請求項２記載の発明において、上記投影制御手段は、上記向き判断手段で顔が上記投影手段の方向を向いていないと判断された場合に、上記投影手段で投影する画像の輝度の予備的な低減を解除することを特徴とする。
【００８７】
請求項４記載の発明は、上記請求項１乃至３いずれか記載の発明において、上記投影制御手段は、上記向き判断手段で顔が上記投影手段の方向を向いていると判断された場合に、上記投影手段で投影する画像の輝度を予備的に低減させることを特徴とする。
【００８８】
請求項５記載の発明は、画像を投影する投影手段と、上記投影手段による画像の投影領域を含む範囲を撮像する撮像手段と、上記撮像手段で得た撮影画像中に上記投影手段による投影画像にはない人物の顔があるか否かを判断する顔検出手段と、上記顔検出手段で顔があると判断された場合に、その顔の表情を判断する表情判断手段と、上記表情判断手段で判断された顔の表情に応じて、上記投影手段で投影する画像の輝度を低減させる投影制御手段とを具備したことを特徴とする。
【００８９】
請求項６記載の発明は、上記請求項５記載の発明において、上記投影制御手段は、上記顔検出手段で顔があると判断された場合に、上記投影手段で投影する画像の輝度を予備的に低減させた後、上記表情判断手段による顔の表情を判断させることを特徴とする。
【００９０】
請求項７記載の発明は、上記請求項６記載の発明において、上記投影制御手段は、上記表情判断手段で顔の表情から眩しそうではないと判断された場合に、上記投影手段で投影する画像の輝度の予備的な低減を解除することを特徴とする。
【００９１】
請求項８記載の発明は、請求項１乃至７いずれか記載の発明において、上記撮像手段で得た撮影画像から上記投影領域内に障害物があるか否かを判断する障害物判断手段をさらに備え、上記投影制御手段は、上記障害物判断手段で障害物があると判断された場合に、上記投影手段で投影する画像の輝度を予備的に低減させた後、上記顔検出手段による顔の有無を判断させることを特徴とする。
【００９２】
請求項９記載の発明は、上記請求項８記載の発明において、上記投影制御手段は、上記顔検出手段で顔がないと判断された場合に、上記投影手段で投影する画像の輝度の予備的な低減を解除することを特徴とする。
【００９３】
請求項１０記載の発明は、上記請求項２乃至４または請求項６乃至９いずれか記載の発明において、上記投影制御手段は、上記投影手段で投影する画像の輝度の予備的な低減の度合いを予め設定される内容に基づいて可変することを特徴とする。
【００９４】
請求項１１記載の発明は、上記請求項１乃至１０いずれか記載の発明において、上記投影制御手段は、上記顔検出手段で顔があると判断された場合に、上記投影手段で投影する画像の顔領域に該当する範囲の輝度を低減させることを特徴とする。
【００９５】
請求項１２記載の発明は、上記請求項１乃至１１いずれか記載の発明において、上記投影制御手段は、上記投影手段で投影する画像の輝度を階調の調整により画像の輝度を低減させることを特徴とする。
【００９６】
請求項１３記載の発明は、上記請求項１乃至１１２いずれか記載の発明において、上記投影制御手段は、上記投影手段が備える光源素子の発光輝度の調整により画像の輝度を低減させることを特徴とする。
【００９７】
請求項１４記載の発明は、上記請求項１乃至１１３いずれか記載の発明において、上記投影制御手段は、上記撮像手段による画像撮影タイミングと合致する極小時間に上記投影手段により全面一様な画像を投影させることを特徴とする。
【００９８】
請求項１５記載の発明は、画像を投影する投影部と、上記投影部による画像の投影領域を含む範囲を撮像する撮像部とを備えた装置での投影方法であって、上記撮像部で得た撮影画像中に上記投影部による投影画像にはない人物の顔があるか否かを判断する顔検出工程と、上記顔検出工程で顔があると判断された場合に、その顔の向きを判断する向き判断工程と、上記向き判断工程で判断された向きに応じて、上記投影部で投影する画像の輝度を低減させる投影制御工程とを有したことを特徴とする。
【００９９】
請求項１６記載の発明は、画像を投影する投影部と、上記投影部による画像の投影領域を含む範囲を撮像する撮像部とを備えた装置での投影方法であって、上記撮像手段で得た撮影画像中に上記投影手段による投影画像にはない人物の顔があるか否かを判断する顔検出工程と、上記顔検出工程で顔があると判断された場合に、その顔の表情を判断する表情判断工程と、上記表情判断工程で判断された顔の表情に応じて、上記投影部で投影する画像の輝度を低減させる投影制御工程とを有したことを特徴とする。
【０１００】
請求項１７記載の発明は、画像を投影する投影部と、上記投影部による画像の投影領域を含む範囲を撮像する撮像部とを備えた装置が内蔵したコンピュータが実行するプログラムであって、上記コンピュータを、上記撮像部で得た撮影画像中に上記投影部による投影画像にはない人物の顔があるか否かを判断する顔検出手段、上記顔検出手段で顔があると判断された場合に、その顔の向きを判断する向き判断手段、及び上記向き判断手段で判断された向きに応じて、上記投影部で投影する画像の輝度を低減させる投影制御手段として機能させることを特徴とする。
【０１０１】
請求項１８記載の発明は、画像を投影する投影部と、上記投影部による画像の投影領域を含む範囲を撮像する撮像部とを備えた装置が内蔵したコンピュータが実行するプログラムであって、上記コンピュータを、上記撮像部で得た撮影画像中に上記投影部による投影画像にはない人物の顔があるか否かを判断する顔検出手段、上記顔検出手段で顔があると判断された場合に、その顔の表情を判断する表情判断手段、及び上記表情判断手段で判断された顔の表情に応じて、上記投影部で投影する画像の輝度を低減させる投影制御手段として機能させることを特徴とする。
【符号の説明】
【０１０２】
１０…投影装置、１１…投影画像駆動部、１２…マイクロミラー素子、１３…光源部、１４…ミラー、１５…投影レンズ部、１６…レンズモータ（Ｍ）、１７…撮影レンズ部、１８…ＣＭＯＳイメージセンサ、１９…Ａ／Ｄ変換器、２０…撮影画像処理部、２１…レンズモータ（Ｍ）、２２…ＣＰＵ、２３…メインメモリ、２４…プログラムメモリ、２５…操作部、２６…音声処理部、２８…スピーカ部、ＳＢ…システムバス、ＳＣ…スクリーン、ＰＳ…人物。
【図１】
2018025809.tif 000003
【図２】
2018025809.tif 000004
【図３】
2018025809.tif 000005
【図４】
2018025809.tif 000006
【手続補正書】
【提出日】平成29年9月22日(2017.9.22)
【手続補正１】
【補正対象書類名】特許請求の範囲
【補正対象項目名】全文
【補正方法】変更
【補正の内容】
【特許請求の範囲】
【請求項１】
光照射手段による光照射に際して、当該光照射手段による光照射方向に障害物があるか否かを判別する判別手段と、
前記判別手段による判別結果に応じて、前記光照射手段による光照射を変更制御する制御手段と、
前記制御手段による変更制御後における前記光照射方向の前記障害物の状態を再度判別する第２判別手段と、
を具備し、
前記制御手段は、前記第２判別手段による判別結果に応じて、前記光照射手段による光照射を更に制御する、
ことを特徴とする光照射制御装置。
【請求項２】
前記第２判別手段は、前記光照射方向における前記障害物の向いている方向を判別し、
前記制御手段は、前記第２判別手段により前記障害物が向いている方向が特定方向か否かに応じて、前記光照射手段による光照射を更に制御する、
ことを特徴とする請求項１に記載の光照射制御装置。
【請求項３】
前記第２判別手段は、前記光照射方向における前記障害物の変化状態を判別し、
前記制御手段は、前記第２判別手段により前記障害物が特定の変化状態にあるか否かに応じて、前記光照射手段による光照射を更に制御する、
ことを特徴とする請求項１又は２に記載の光照射制御装置。
【請求項４】
前記判別手段は、前記光照射方向に存在する人物を前記障害物として判別し、
前記第２判別手段は、前記光照射方向における前記人物の向いている方向、あるいは前記人物の表情を判別し、
前記制御手段は、前記第２判別手段により、前記人物が特定の方向を向いているか否か、あるいは前記人物の表情が特定の表情か否か、に応じて、前記光照射手段による光照射を更に制御する、
ことを特徴とする請求項１に記載の光照射制御装置。
【請求項５】
光照射手段による光照射に際して、当該光照射手段による光照射方向に障害物があるか否かを判別する判別手段と、
前記判別手段による判別結果に応じて、前記光照射手段による光照射を変更制御する制御手段と、
前記判別手段で判別された障害物が人物か否かを判別する第２判別手段と、
を具備し、
前記制御手段は、前記第２判別手段による判別結果に応じて、前記光照射手段による光照射を更に制御する、
ことを特徴とする光照射制御装置。
【請求項６】
前記制御手段は、前記第２判別手段により前記障害物が人物でないことを判別した場合には、前記光照射手段による光照射の変更を解除する、
ことを特徴とする請求項５に記載の光照射制御装置。
【請求項７】
前記制御手段は、前記第２判別手段により前記障害物が人物であることを判別し、当該人物が光照射方向を向いていない場合には、前記光照射手段による光照射の変更を解除する、
ことを特徴とする請求項５又は６に記載の光照射制御装置。
【請求項８】
前記制御手段は、前記第２判別手段により前記障害物が人物であることを判別し、当該人物が眩しそうにしていない場合には、前記光照射手段による光照射の変更を解除する、
ことを特徴とする請求項５〜７の何れかに記載の光照射制御装置。
【請求項９】
前記制御手段は、前記判別手段で障害物があると判別された場合に、前記光照射手段による光照射の輝度又は照射範囲を変更制御する、
ことを特徴とする請求項１〜８の何れかに記載の光照射制御装置。
【請求項１０】
光照射手段による光照射に際して、当該光照射手段による光照射方向に障害物があるか否かを判別する判別手段と、
前記判別手段で障害物を判別した際は、当該障害物が人物か否かを判別する第２判別手段と、
前記第２判別手段で人物を判別した場合には前記光照射手段による光照射を変更制御し、人物を判別しない場合には前記光照射を変更しないよう制御する制御手段と、
を具備したことを特徴とする光照射制御装置。
【請求項１１】
前記制御手段は、前記光照射の変更制御後における人物の状態を判別し、人物の状態に応じて前記光照射の変更を解除する、
ことを特徴とする請求項１０に記載の光照射制御装置。
【請求項１２】
光照射手段による光照射に際して、当該光照射手段による光照射方向に人物がいるか否かを判別する判別手段と、
前記判別手段で人物がいることを判別した際は、前記光照射手段による光照射により、当該人物が眩しそうか否かを判別する第２判別手段と、
前記第２判別手段による判別結果に応じて前記光照射手段による光照射を変更するか否かを制御する制御手段と、
を具備したことを特徴とする光照射制御装置。
【請求項１３】
前記第２判別手段は、目を細めているか否かに基づいて眩しそうか否かを判別する、
ことを特徴とする請求項１２に記載の光照射制御装置。
【請求項１４】
光照射制御装置のコンピュータを制御するためのプログラムであって、
前記コンピュータを、
光照射手段による光照射に際して、当該光照射手段による光照射方向に障害物があるか否かを判別する判別手段、
前記判別手段による判別結果に応じて、前記光照射手段による光照射を変更制御する制御手段、
前記制御手段による変更制御後における前記光照射方向の前記障害物の状態を再度判別する第２判別手段、
として機能させ、
前記制御手段は、前記第２判別手段による判別結果に応じて、前記光照射手段による光照射を更に制御する、
ことを特徴とするプログラム。
【請求項１５】
光照射制御装置のコンピュータを制御するためのプログラムであって、
前記コンピュータを、
光照射手段による光照射に際して、当該光照射手段による光照射方向に障害物があるか否かを判別する判別手段、
前記判別手段による判別結果に応じて、前記光照射手段による光照射を変更制御する制御手段、
前記判別手段で判別された障害物が人物か否かを判別する第２判別手段、
として機能させ、
前記制御手段は、前記第２判別手段による判別結果に応じて、前記光照射手段による光照射を更に制御する、
ことを特徴とするプログラム。
【請求項１６】
光照射制御装置のコンピュータを制御するためのプログラムであって、
前記コンピュータを、
光照射手段による光照射に際して、当該光照射手段による光照射方向に障害物があるか否かを判別する判別手段、
前記判別手段で障害物を判別した際は、当該障害物が人物か否かを判別する第２判別手段、
前記第２判別手段で人物を判別した場合には前記光照射手段による光照射を変更制御し、人物を判別しない場合には前記光照射を変更しないよう制御する制御手段、
として機能させるようにしたプログラム。
【請求項１７】
光照射制御装置のコンピュータを制御するためのプログラムであって、
前記コンピュータを、
光照射手段による光照射に際して、当該光照射手段による光照射方向に人物がいるか否かを判別する判別手段、
前記判別手段で人物がいることを判別した際は、前記光照射手段による光照射により、当該人物が眩しそうか否かを判別する第２判別手段、
前記第２判別手段による判別結果に応じて前記光照射手段による光照射を変更するか否かを制御する制御手段、
として機能させるようにしたプログラム。
【手続補正３】
【補正対象書類名】明細書
【補正対象項目名】０００１
【補正方法】変更
【補正の内容】
【０００１】
本発明は、光照射制御装置、及びプログラムに関する。
【手続補正４】
【補正対象書類名】明細書
【補正対象項目名】０００６
【補正方法】変更
【補正の内容】
【０００６】
本発明の目的は、光照射方向の状態に応じて光照射を適切に制御することにある。
【手続補正５】
【補正対象書類名】明細書
【補正対象項目名】０００７
【補正方法】変更
【補正の内容】
【０００７】
請求項１は、光照射手段による光照射に際して、当該光照射手段による光照射方向に障害物があるか否かを判別する判別手段と、前記判別手段による判別結果に応じて、前記光照射手段による光照射を変更制御する制御手段と、前記制御手段による変更制御後における前記光照射方向の前記障害物の状態を再度判別する第２判別手段と、を具備し、前記制御手段は、前記第２判別手段による判別結果に応じて、前記光照射手段による光照射を更に制御する、ことを特徴とする。
【手続補正６】
【補正対象書類名】明細書
【補正対象項目名】０００８
【補正方法】変更
【補正の内容】
【０００８】
請求項５は、光照射手段による光照射に際して、当該光照射手段による光照射方向に障害物があるか否かを判別する判別手段と、前記判別手段による判別結果に応じて、前記光照射手段による光照射を変更制御する制御手段と、前記判別手段で判別された障害物が人物か否かを判別する第２判別手段と、を具備し、前記制御手段は、前記第２判別手段による判別結果に応じて、前記光照射手段による光照射を更に制御する、ことを特徴とする。
請求項１０は、光照射手段による光照射に際して、当該光照射手段による光照射方向に障害物があるか否かを判別する判別手段と、前記判別手段で障害物を判別した際は、当該障害物が人物か否かを判別する第２判別手段と、前記第２判別手段で人物を判別した場合には前記光照射手段による光照射を変更制御し、人物を判別しない場合には前記光照射を変更しないよう制御する制御手段と、を具備したことを特徴とする。
請求項１２は、光照射手段による光照射に際して、当該光照射手段による光照射方向に人物がいるか否かを判別する判別手段と、前記判別手段で人物がいることを判別した際は、前記光照射手段による光照射により、当該人物が眩しそうか否かを判別する第２判別手段と、前記第２判別手段による判別結果に応じて前記光照射手段による光照射を変更するか否かを制御する制御手段と、を具備したことを特徴とする。
【手続補正７】
【補正対象書類名】明細書
【補正対象項目名】０００９
【補正方法】変更
【補正の内容】
【０００９】
本発明によれば、光照射方向の状態に応じて光照射を適切に制御することが可能となる。